(57)【特許請求の範囲】
【請求項１】
両端面が開口した一対の直線状の筒状体（１Ａ）、（１Ｂ）を一方の端面で互いに連結して成る筒状容器であって、筒状体（１Ａ）、（１Ｂ）は同一のもので、頂壁（２）、底壁（３）、及び一対の側壁（４）、（５）を有するとともに両端面（６）、（７）が筒状体（１Ａ）、（１Ｂ）を直線的または直角のいずれの状態でも連結できるように形成されており、さらに筒状体（１Ａ）、（１Ｂ）の両端には連結用の係合部（８）、（９）が形成されていることを特徴とする筒状容器。
【請求項２】
両端面（６）、（７）がそれぞれ一方の側壁（５）に対して４５゜の角度を成すように形成されていて、筒状体（１Ａ）、（１Ｂ）の一端側の係合部（８）は、頂壁（２）の一方の端縁（２ａ）における一方の側壁（５）側の部位から外方に向けて水平に突出するとともに上面が頂壁（２）の上面と面一の第１の突片（１０）と、この第１の突片（１０）に設けられた第１の嵌合部（１０ａ）と、頂壁（２）の一方の端縁（２ａ）における他方の側壁（４）側の部位から内方に向けて形成されるとともに第１の突片（１０）をその厚み方向に受け入れる第１の凹部（１１）と、この第１の凹部（１１）内に設けられ第１の嵌合部（１０ａ）と嵌合する第２の嵌合部（１１ａ）と、底壁（３）の一方の端縁（３ａ）における一方の側壁（５）側または他方の側壁（４）側の部位から外方に向けて水平に突出するとともに下面が底壁（３）の内面と面一の第２の突片（１２）と、この第２の突片（１２）に設けられた第３の嵌合部（１２ａ）とから成っており、筒状体（１Ａ）、（１Ｂ）の他端側の係合部（９）は、頂壁（２）の他方の端縁（２ｂ）における一方の側壁（５）側の部位から内方に向けて形成されるとともに第１の突片（１０）をその厚み方向に受け入れる第２の凹部（１３）と、底壁（３）の内面における他方の端縁（３ｂ）の近傍で一方の側壁（５）側または他方の側壁（４）側の部位に設けられ第３の嵌合部（１２ａ）と嵌合する第４の嵌合部（１４）とから成っていることを特徴とする請求項１に記載の筒状容器。
【発明の詳細な説明】
【０００１】
【発明の属する技術分野】
本発明は、両端面が開口した一対の直線状の筒状体を一方の端面で互いに連結して成る筒状容器に関するものである。
【０００２】
【従来の技術】
ゴキブリ駆除用の薬剤をゴキブリの通り道に配置するためのものとして、両端面が開口した筒状容器が用いられている。ゴキブリは部屋の隅に沿って移動する習性があるため、この種の容器は、部屋の一つの壁面に沿うように直線状に形成されたり、二つの壁面が交差したコーナー部に沿うようにＬ字状に形成されたりする。
【０００３】
この種の容器として、両端面が開口した一対の直線状の筒状体を一方の端面で互いに連結して成るものが知られている。この容器では、一方の筒状体の一端に形成された連結用の係合部と他方の筒状体の一端に形成された連結用の係合部とを係合して一対の筒状体を連結するようになっている。
【０００４】
【発明が解決しようとする課題】
従来のこの種の容器では、一対の筒状体を直線的または直角のいずれか一方の状態でしか連結できず、直線的に連結される筒状体と直角に連結される筒状体は異なる形状となっていた。また、連結される一対の筒状体も互いに異なる形状となっていたため、合計で４種類の部品が必要であり、金型費が嵩むため、コスト高であった。
【０００５】
本発明は上述した問題点に鑑みてなされたものであって、その目的は、両端面が開口した一対の直線状の筒状体を一方の端面で連結して成る筒状容器であって、製造コストの削減を図ったものを提供することにある。
【０００６】
【課題を解決するための手段】
上述した目的を達成するために、請求項１の発明は、図面に示すように、両端面が開口した一対の直線状の筒状体（１Ａ）、（１Ｂ）を一方の端面で互いに連結して成る筒状容器であって、筒状体（１Ａ）、（１Ｂ）は同一のもので、頂壁（２）、底壁（３）、及び一対の側壁（４）、（５）を有するとともに両端面（６）、（７）が筒状体（１Ａ）、（１Ｂ）を直線的または直角のいずれの状態でも連結できるように形成されており、さらに筒状体（１Ａ）、（１Ｂ）の両端には連結用の係合部（８）、（９）が形成されていることを特徴としている。
【０００７】
また、請求項２の発明は、請求項１の筒状容器において、両端面（６）、（７）がそれぞれ一方の側壁（５）に対して４５゜の角度を成すように形成されていて、筒状体（１Ａ）、（１Ｂ）の一端側の係合部（８）は、頂壁（２）の一方の端縁（２ａ）における一方の側壁（５）側の部位から外方に向けて水平に突出するとともに上面が頂壁（２）の上面と面一の第１の突片（１０）と、この第１の突片（１０）に設けられた第１の嵌合部（１０ａ）と、頂壁（２）の一方の端縁（２ａ）における他方の側壁（４）側の部位から内方に向けて形成されるとともに第１の突片（１０）をその厚み方向に受け入れる第１の凹部（１１）と、この第１の凹部（１１）内に設けられ第１の嵌合部（１０ａ）と嵌合する第２の嵌合部（１１ａ）と、底壁（３）の一方の端縁（３ａ）における一方の側壁（５）側または他方の側壁（４）側の部位から外方に向けて水平に突出するとともに下面が底壁（３）の内面と面一の第２の突片（１２）と、この第２の突片（１２）に設けられた第３の嵌合部（１２ａ）とから成っており、筒状体（１Ａ）、（１Ｂ）の他端側の係合部（９）は、頂壁（２）の他方の端縁（２ｂ）における一方の側壁（５）側の部位から内方に向けて形成されるとともに第１の突片（１０）をその厚み方向に受け入れる第２の凹部（１３）と、底壁（３）の内面における他方の端縁（３ｂ）の近傍で一方の側壁（５）側または他方の側壁（４）側の部位に設けられ第３の嵌合部（１２ａ）と嵌合する第４の嵌合部（１４）とから成っていることを特徴としている。
【０００８】
【発明の実施の形態】
以下、本発明の具体的な実施形態を図面を参照しながら説明する。図１は本発明の一実施形態である筒状容器を形成する筒状体の外観斜視図、図２は図１の筒状体の平面図、図３は図１の筒状体の一部破断側面図、図４は図３のＡ−Ａ線断面図、図５は図１の筒状体を直線的に連結した状態を示す斜視図、図６は図１の筒状体を直角に連結した状態を示す斜視図である。
【０００９】
本実施形態の筒状容器はゴキブリ駆除用の薬剤をゴキブリの通り道に配置するためのものであって、図１に示す一対の直線状の筒状体１Ａ、１Ｂを直線的または直角に連結することにより形成される。なお、筒状体１Ａ、１Ｂは合成樹脂により形成されている。
【００１０】
筒状体１Ａ、１Ｂは同一のもので、両端面が開口した角筒状に形成されていて、頂壁２、底壁３、及び一対の側壁４、５を有するとともに両端面６、７がそれぞれ側壁５に対して４５゜の角度を成している。また、筒状体１Ａ、１Ｂの一端には第１の係合部８、他端には第２の係合部９が形成されている。
【００１１】
第１の係合部８は、頂壁２の一方の端縁２ａにおける側壁５側の部位から外方に向けて水平に突出した平面視等脚台形状の第１の突片１０と、頂壁２の一方の端縁２ａにおける側壁４側の部位から内方に向けて形成された平面視等脚台形状の第１の凹部１１と、第１の突片１０と垂直方向に対向するように配置され底壁３の一方の端縁３ａにおける側壁５側の部位から外方に向けて水平に突出した平面視等脚台形状の第２の突片１２とを備えている。
【００１２】
第１の突片１０は頂壁２と同じ厚みを有するとともに上面が頂壁２の上面と面一となるように形成された板状のもので、頂壁２の一方の端縁２ａの一端から中央部に至る領域にわたって形成されている。そして、第１の突片１０の中央部には円形の貫通孔１０ａ（第１の嵌合部）が設けられている。
【００１３】
第１の凹部１１は頂壁２の一方の端縁２ａの他端から中央部に至る領域にわたって形成されており、第１の突片１０を厚み方向に受け入れて第１の突片１０と嵌合するとともに嵌合した第１の突片１０の上面が頂壁２の上面とほぼ面一になるように形成されている。また、第１の凹部１１の中央部には、第１の突片１０の貫通孔１０ａに嵌合する円柱状の凸部１１ａ（第２の嵌合部）が設けられている。
【００１４】
第２の突片１２は第１の突片１０とほぼ同形同大の板状のもので、底壁３の一方の端縁３ａの一端から中央部に至る領域にわたって形成されており、下面が底壁３の内面と面一になっている。そして、中央部には円形の貫通孔１２ａ（第３の嵌合部）が設けられている。
【００１５】
第２の係合部９は、頂壁２の他方の端縁２ｂにおける側壁５側の部位から内方に向けて形成された平面視等脚台形状の第２の凹部１３と、底壁３の内面における端縁３ｂの近傍で側壁５側の部位に設けられた円柱状の凸部１４（第４の嵌合部）とから成っている。
【００１６】
第２の凹部１３は頂壁２の他方の端縁２ｂの一端から中央部に至る領域にわたって形成されており、第１の突片１０を厚み方向に受け入れて第１の突片１０と嵌合するとともに嵌合した第１の突片１０の上面が頂壁２の上面とほぼ面一になるように形成されている。凸部１４は第２の突片１２の貫通孔１２ａと嵌合するように形成されている。
【００１７】
また、図３、４に示すように、底壁３の中央部には薬剤を収容するための収容凹部１５が形成されている。この収容凹部１５は平面視矩形状で、その外底面が底壁３の底面よりも上方に位置するように形成されている。
【００１８】
この筒状体１Ａ、１Ｂを直線的に連結する場合には端面６どうしを連結する。すなわち、筒状体１Ａ、１Ｂの第２の突片１２をそれぞれ筒状体１Ｂ、１Ａ内に入り込ませるとともに筒状体１Ａ、１Ｂの第１の突片１０をそれぞれ筒状体１Ｂ、１Ａの第１の凹部１１に嵌め込んで貫通孔１０ａを凸部１１ａに嵌合する。
【００１９】
これによって、図５に示すように、筒状体１Ａ、１Ｂの端面６、６が密着して筒状体１Ａ、１Ｂが直線的に連結された状態となり、両端面が開口した直線状の筒状容器が形成される。筒状体１Ａの収容凹部１５内に誘引剤を充填し、筒状体１Ｂの収容凹部１５内に毒餌を充填した後、この筒状容器の一方の側面を部屋の一つの壁面に密着するように床面上に載置する。
【００２０】
ゴキブリは筒状体１Ａ内に収容された誘引剤に誘われて筒状容器内に侵入し、筒状体Ｂ内に収容された毒餌を食した後、筒状容器外に出る。
【００２１】
筒状体１Ａ、１Ｂを直角に連結する場合には端面６と端面７を連結する。すなわち、筒状体１Ｂの第２の突片１２の貫通孔１２ａを筒状体１Ａの凸部１４に嵌合するとともに筒状体１Ｂの第１の突片１０を筒状体１Ａの第２の凹部１３に嵌め込む。
【００２２】
これによって、図６に示すように、筒状体１Ｂの端面６と筒状体１Ａの端面７とが密着して筒状体１Ａ、１Ｂが直角に連結された状態となり、両端面が開口したＬ字形の筒状容器が形成される。筒状体１Ｂの収容凹部１５内に誘引剤を充填し、筒状体１Ａの収容凹部１５内に毒餌を充填した後、この筒状容器の外側の側面が部屋のコーナ部を形成する二つの壁面に密着するように床面上に載置する。
【００２３】
筒状体１Ａ、１Ｂは同一のものであり、筒状体が１種類であるため、この筒状容器の金型費用は安価であり、したがって製造コストも安価である。
【００２４】
なお、第２の突片１２を、底壁３の一方の端縁３ａにおける他方の側壁４側の部位に設け、第４の嵌合部１４を、底壁３の内面における他方の側壁４側の部位に設けるようにしてもよい。
【００２５】
また、上述した実施形態では、ゴキブリ駆除用の薬剤を収容するための容器に本発明を適用した場合について説明したが、本発明はその他の容器に適用することもできる。
【００２６】
その他にも、本発明の要旨を逸脱しない範囲内で上述した実施形態に種々の変形を施すことができる。
【００２７】
【発明の効果】
以上説明したように本発明によれば、一対の筒状体が同一のもので、かつ連結される端面の組み合わせを変えることにより直線的または直角のいずれの状態でも連結することができるようになっているため、金型費用を少なくすることができ、製造コストが安価となる。
【図面の簡単な説明】
【図１】  本発明の一実施形態である筒状容器を形成する筒状体の外観斜視図。
【図２】  図１の筒状体の平面図。
【図３】  図１の筒状体の一部破断側面図。
【図４】  図３のＡ−Ａ線断面図。
【図５】  図１の筒状体を直線的に連結した状態を示す斜視図。
【図６】  図１の筒状体を直角に連結した状態を示す斜視図。
【符号の説明】
１Ａ    筒状体
１Ｂ    筒状体
２      頂壁
３      底壁
４      側壁
５      側壁
６      端面
７      端面
８      第１の係合部
９      第２の係合部
【図１】
0004462788.tif 000002
【図２】
0004462788.tif 000003
【図３】
0004462788.tif 000004
【図４】
0004462788.tif 000005
【図５】
0004462788.tif 000006
【図６】
0004462788.tif 000007